【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
ａ）少なくとも１種の電気活性フッ素化コポリマー、
ｂ）反応性二重結合に関して二官能性又は多官能性である、少なくとも１種の（メタ）アクリルモノマー、
ｃ）少なくとも１種のラジカル重合開始剤、
ｄ）少なくとも１種の有機溶剤、及び
ｅ）以下のリスト、すなわち反応性二重結合に関して単官能性である（メタ）アクリルモノマー、表面張力、レオロジー、耐老化性、接着性又は色を調整する調整剤、充填材及びナノ充填材から選択される少なくとも１種の添加剤
からなる架橋性組成物。
【請求項２】
前記電気活性フッ素化コポリマーが一般式Ｐ（ＶＤＦ−ＴｒＦＥ）のコポリマーであり、ここで、ＶＤＦはフッ化ビニリデン由来の単位を表し、ＴｒＦＥはトリフルオロエチレン由来の単位を表し、ポリマー中のＴｒＦＥ：ＶＤＦモル比が、５０：５０〜８５：１５の範囲である、請求項１に記載の組成物。
【請求項３】
前記電気活性フッ素化コポリマーが一般式Ｐ（ＶＤＦ−ＴｒＦＥ−Ｘ）のターポリマーであり、ここで、ＶＤＦはフッ化ビニリデン由来の単位を表し、ＴｒＦＥはトリフルオロエチレン由来の単位を表し、Ｘは、少なくとも１個のフッ素原子を有する第３のモノマーに由来する単位を表す、請求項１に記載の組成物。
【請求項４】
ポリマー中のＸ単位のモル割合が、０．１％〜１５％である、請求項３に記載の組成物。
【請求項５】
反応性二重結合に関して二官能性又は多官能性である前記（メタ）アクリルモノマーが、（メタ）アクリルタイプの少なくとも２つの反応性二重結合を含有するモノマー若しくはオリゴマー、又はジオール、トリオール若しくはポリオール、ポリエステル、エーテル、ポリエーテル、ポリウレタン、エポキシ、シアヌレート若しくはイソシアヌレートから選択される二官能性若しくは多官能性（メタ）のアクリルモノマー若しくはオリゴマーである、請求項１〜４のいずれかに記載の組成物。
【請求項６】
前記（メタ）アクリルモノマーが、以下のリスト：  ドデカンジメタクリレート、１，３−ブチレングリコールジ（メタ）アクリレート、ブタンジオールジ（メタ）アクリレート、１，６−ヘキサンジオールジ（メタ）アクリレート、アルコキシル化ヘキサンジオールジ（メタ）アクリレート、アルコキシル化ネオペンチルグリコールジ（メタ）アクリレート、ドデシルジ（メタ）ジ（メタ）アクリレート、シクロヘキサンジメタノールジ（メタ）アクリレート、ジエチレングリコールジ（メタ）アクリレート、ジプロピレングリコールジ（メタ）アクリレート、線状アルカンジ（メタ）アクリレート、エトキシル化ビスフェノールＡジ（メタ）アクリレート、エチレングリコールジ（メタ）アクリレート、ネオペンチルグリコールジ（メタ）アクリレート、トリシクロデカンジメタノールジアクリレート、トリエチレングリコールジ（メタ）アクリレート、テトラエチレングリコールジ（メタ）アクリレート、トリプロピレングリコールジ（メタ）アクリレート、ジトリメチロールプロパンテトラ（メタ）アクリレート、エトキシル化ペンタエリスリトールテトラ（メタ）アクリレート、ジペンタエリトリトールペンタ（メタ）アクリレート、ペンンタ（メタ）アクリレートエステル、ペンタエリトリトールテトラ（メタ）アクリレート、エトキシル化トリメチロールプロパントリ（メタ）アクリレート、アルコキシル化トリメチロールプロパントリ（メタ）アクリレート、トリメチロールプロパントリ（メタ）アクリレート、ペンタエリスリトールトリ（メタ）アクリレート、プロポキシル化トリメチロールプロパントリ（メタ）アクリレート、トリメチロールプロパントリメタクリレート、ドデカンジオールジ（メタ）アクリレート、ドデカンジ（メタ）アクリレート、ジペンタエリスリトールペンタ／ヘキサ（メタ）アクリレート、ペンタエリスリトールテトラ（メタ）アクリレート、ジトリメチロールプロパンテトラ（メタ）アクリレート、プロポキシル化グリセリルトリ（メタ）アクリレート、プロポキシル化グリセリルトリ（メタ）アクリレート、プロポキシル化グリセリルトリ（メタ）アクリレート、トリス（２−ヒドロキシエチルトリ）イソシアヌレートトリ（メタ）アクリレート、ポリエステル（メタ）アクリレート、ポリエーテル（メタ）アクリレート、ポリエチレングリコール（メタ）アクリレート、ポリプロピレングリコール（メタ）アクリレート、ポリウレタン（メタ）アクリレート、エポキシ（メタ）アクリレート、及びこれらの組み合わせから選択される、請求項５に記載の組成物。
【請求項７】
前記溶媒がケトン、フラン、エステル、カーボネート、アミド及びスルホキシドから選択される、請求項１〜６のいずれかに記載の組成物。
【請求項８】
前記ラジカル重合開始剤が、２−ヒドロキシ−２−メチル−１−フェニルプロパン−１−オン、２，４，６−トリメチルベンゾイル−ジフェニルホスフィンオキシド、２，４，６−トリメチルベンゾイルフェニルホスフィネート、１−ヒドロキシシクロヘキシルフェニルケトン、ビス（２，６−ジメトキシベンゾイル）−２，４，４−トリメチルペンチルホスフィンオキシド、１−［４−（２−ヒドロキシエトキシ）フェニル］−２−ヒドロキシ−２−メチル−１−プロパン−１−オン、２，２−ジメトキシ−１，２−ジフェニルエタン−１−オン及び２−メチル−１−［４−（メチルチオ）フェニル］−２−モルホリノプロパン−１−オン、２，４−ジエチルチオキサントン、それらの誘導体、及びそれらの混合物から選択される、請求項１〜７のいずれかに記載の組成物。
【請求項９】
ｉ．前記電気活性フッ素化コポリマー（ａ）が、成分（ａ）及び（ｂ）の総重量の６０重量％〜９９．９９重量％を構成し、
ｉｉ．前記ラジカル開始剤（ｃ）が、成分（ａ）、（ｂ）及び（ｃ）の総重量の０．１重量％〜１０重量％を構成し、
ｉｉｉ．前記添加剤（ｅ）が、組成物の総重量の０．０１重量％〜２０重量％未満を構成する、
請求項１〜８のいずれかに記載の組成物。
【請求項１０】
請求項２〜４のいずれかに記載の少なくとも１つの非架橋電気活性フッ素化コポリマーと、請求項５及び６のいずれかに規定された（メタ）アクリルモノマーを架橋することによって得られる１つの架橋（メタ）アクリルコポリマーとからなる架橋フィルム。
【請求項１１】
インクを得るように前記成分（ａ）、（ｂ）、（ｃ）及び（ｅ）が前記溶媒（ｄ）に溶解されている、請求項１〜９のいずれかに記載の架橋可能な組成物を提供すること、
フィルムを形成するように、前記インクを支持体、（オプト）エレクトロニクスであるデバイス又はデバイスの一部に堆積させること、
前記溶媒の部分的又は全体的な蒸発によって前記フィルムを乾燥させること、及び
前記（メタ）アクリルモノマーの重合によって前記フィルムの全部又は一部を架橋させること、
所定のパターンの所望の形成の場合には、非架橋部分を除去するために前記フィルムを現像すること
からなる架橋フィルムの製造方法。
【請求項１２】
前記ラジカル開始剤が、波長１５０〜４１０ｎｍのスペクトル断面から部分的又は完全に構成される光によって活性化され得る光開始剤である、請求項１１に記載の方法。
【請求項１３】
前記フィルムの架橋をもたらすための照射線量が、２０  Ｊ／ｃｍ  2未満である、請求項１１及び１２のいずれかに記載の方法。
【請求項１４】
誘電体層として、請求項１１〜１３のいずれか１項に記載の方法に従って調製されたフィルムの少なくとも１つの層を含む、（オプト）エレクトロニクスデバイス。
【請求項１５】
前記フィルム層上に堆積された１つ以上の層のスタックを含む、請求項１４に記載のデバイス。
【請求項１６】
電界効果トランジスタ及び強誘電体メモリから選択される、請求項１４及び１５のいずれかに記載のデバイス。
【請求項１７】
アクチュエータ、触覚デバイス、コンデンサ、ダイオード、センサ、及び電気機械マイクロシステムから選択される、請求項１４又は１５のいずれかに記載のデバイス。